(57)【要約】【課題】複雑の操作に困難を伴う人と、複雑な操作が可能な人との両者にとって、操作対象の装置が使い易くなるインタフェースの提供。【解決手段】解除ボタンがオンと判定し（Ｓ１２１５ＹＥＳ）、機能ボタンがどれもオフと判定すると（Ｓ１２３０ＮＯ）、ユニットを解除状態に移行させる（Ｓ１２４０）。そうするとユニットは、直近にオンにされた機能ボタンに対応する操作信号を浴室コントローラに入力する。そうすると、オンの機能ボタンに応じた浴室機器の制御が実現する。ユニットは、解除状態において、機能ボタンのどれか一つがオンになると、そのオンの機能ボタンに対応する操作信号を浴室コントローラに直接、入力する。解除状態にしてから一分後、ユニットを制限状態に戻す（Ｓ１２６０）。タイマが１．５秒を越えたと判定すると（Ｓ１２３５ＮＯ）、浴室照明機器のオン／オフの切換が実行される。【選択図】図４
2010204728.tif 000002
【特許請求の範囲】
【請求項１】
操作対象装置の操作を特定するための操作情報をユーザが入力するための第一入力手段と、
前記第一入力手段に前記操作情報が入力されると、操作信号を前記操作対象装置に入力する第二入力手段とを備え、
前記操作対象装置の操作には、前記第二入力手段によって予め認可された認可済操作と、認可されていない未認可操作とがあり、
前記第一入力手段は、前記未認可操作を前記第二入力手段に認可させるための申請情報をユーザが入力できるようになっており、
前記第二入力手段は、
前記認可済操作に対応する操作情報が前記第一入力手段に入力された場合は、その入力された操作情報に対応した操作信号を入力するようになっていると共に、
前記未認可操作に対応する操作情報が前記第一入力手段に入力された場合に、その入力時を基準にして定まる時間に前記申請情報が前記第一入力手段に入力されたときは、その入力された操作情報に対応する未認可操作の認可をして、その未認可操作に対応した操作信号を入力する第一操作信号入力手段と、
前記未認可操作に対応する操作情報が前記第一入力手段に入力された場合に、前記時間に前記申請情報が前記第一入力手段に入力されなかったときは、前記認可済操作に対応した操作信号を入力する第二操作信号入力手段とを備える
ことを特徴とするインタフェース。
【請求項２】
前記第二操作信号入力手段は、前記申請情報が前記第一入力手段に入力された時を基準に定まる時間に、前記未認可操作に対応する操作情報が前記第一入力手段に入力されなかった場合は、前記認可済操作に対応した操作信号を入力する
ことを特徴とする請求項１のインタフェース。
【請求項３】
前記第一操作信号入力手段は、前記未認可操作の認可をしてから所定時間が経つまでに前記未認可操作に対応する操作情報が前記第一入力手段に入力された場合、その入力された操作情報によって特定される操作信号を入力する
ことを特徴とする請求項１又は請求項２のインタフェース。
【請求項４】
前記認可済操作は複数あり、その複数ある認可済操作の中の一つが、特定の認可済操作として予め定められており、
前記第二操作信号入力手段は、前記未認可操作に対応する前記操作情報が前記第一入力手段に入力された場合に、前記時間に前記申請情報が前記第一入力手段に入力されなかったときは、前記特定の認可済操作に対応した操作信号を入力する
ことを特徴とする請求項１〜請求項３何れかのインタフェース。
【請求項５】
前記第二入力手段は、前記第一入力手段に入力された前記操作情報および前記申請情報の少なくとも一方、並びに前記操作対象装置の電源の状態に基づいて、前記操作対象装置の電源を操作するための操作信号を入力する第三操作信号入力手段を備える
ことを特徴とする請求項１〜請求項４何れかのインタフェース。
【請求項６】
操作対象装置の操作を特定するための操作情報をユーザが入力するための第一入力手段と、
前記第一入力手段に前記操作情報が入力されると、操作信号を前記操作対象装置に入力する第二入力手段とを備え、
前記操作対象装置の操作には、前記第二入力手段によって予め認可された認可済操作と、認可されていない未認可操作とがあり、
前記第一入力手段は、前記未認可操作を前記第二入力手段に認可させるための申請情報をユーザが入力できるようになっており、
前記第二入力手段は、
前記第一入力手段に入力された前記申請情報に基づいて、前記未認可操作を認可しない制限状態から、前記未認可操作を認可する解除状態へ切り換える第一切換手段と、
前記第一切換手段によって前記解除状態に切り換えられてから所定時間後に、前記制限状態に戻す第二切換手段とを備えると共に、
前記第一入力手段に前記操作情報が入力されると、前記制限状態においては前記認可済操作に対応した操作信号を入力する一方で、前記解除状態においては、その入力された操作情報によって特定される操作信号を入力する
ことを特徴とするインタフェース。
【発明の詳細な説明】
【技術分野】
【０００１】
ユーザフレンドリーな操作のためのインタフェースに関する。
【背景技術】
【０００２】
昨今、高齢化が進んでいる。その一方で、家電等の操作が複雑になってきている。老人にとって、複雑な操作は不要であるばかりか、誤操作の原因ともなる。そこで、老人に操作させないことを目的として、複雑な操作をしないと動作しないシステムが提案されている（特許文献１）。このシステムは、介護や看護の場面では有効である。しかし、自立した老人にとっては逆に不便である。そこで、機能を最低限のものに絞り込むことで、操作を簡単にした老人向け装置（携帯電話など）が既に実施されている。
【先行技術文献】
【特許文献】
【０００３】
【特許文献１】特開平１０−２９６７３９号公報
【発明の概要】
【発明が解決しようとする課題】
【０００４】
先述した老人向け装置の課題は、最低限の機能以外は取り除かれているので、老人以外にとっては逆に不便なことである。また、老人が使う装置であっても、細かな操作方法の設定や機能の範囲の設定が出来るようにしておかなければならず、単に最低限の機能に絞るだけでは通常の商品との性能差がつきすぎる問題があったり、通常の商品を大きく設計変更しなければならなくなって製造コストを増大させる問題があったりした。よって、老人など（幼児や障害者などを含む）の複雑な操作に困難を伴う人（以下「対象者」と言う）と、複雑な操作が可能な人（以下「非対象者」と言う）との両者が使う装置には不向きであったり、対象者だけが使う装置であっても使い勝手が悪かったり、高価格になってしまったりすることが考えられる。
【０００５】
本発明は、この課題に鑑み、対象者と非対象者との両者にとって、操作対象の装置が使い易くなるインタフェースの提供を目的とする。また、対象者だけが使う場合でも、対象者による誤操作が起こり難くした上で、細かな操作方法や機能の設定が可能なインタフェースの提供を目的とする。その上、上記課題を解決するためにコストが大きく増大することのないインタフェースの提供を目的とする。
【課題を解決するための手段】
【０００６】
この目的を達成するためになされた請求項１の発明は、操作対象装置の操作を特定するための操作情報をユーザが入力するための第一入力手段と、第一入力手段に操作情報が入力されると、操作信号を操作対象装置に入力する第二入力手段とを備え、操作対象装置の操作には、第二入力手段によって予め認可された認可済操作と、認可されていない未認可操作とがあり、第一入力手段は、未認可操作を第二入力手段に認可させるための申請情報をユーザが入力できるようになっており、第二入力手段は、認可済操作に対応する操作情報が第一入力手段に入力された場合は、その入力された操作情報に対応した操作信号を入力するようになっていると共に、未認可操作に対応する操作情報が第一入力手段に入力された場合に、その入力時を基準にして定まる時間に申請情報が第一入力手段に入力されたときは、その入力された操作情報に対応する未認可操作の認可をして、その未認可操作に対応した操作信号を入力する第一操作信号入力手段と、未認可操作に対応する操作情報が第一入力手段に入力された場合に、上記時間に申請情報が第一入力手段に入力されなかったときは、認可済操作に対応した操作信号を入力する第二操作信号入力手段とを備えることを特徴とするインタフェースである。
【０００７】
この発明によれば、対象者と非対象者との両者にとって操作対象装置が使い易くなる。また、対象者だけが使う場合でも、対象者が誤りなく使うことができ、かつ、細かな設定変更が可能になる。理由を述べる。まず「入力時を基準にして定まる時間」の長さを、非対象者にとっては情報入力に十分な時間、対象者にとっては欲する動作が行われたか否かの判断が行われるまでの短い時間に設定する。そうすると、非対象者は、操作情報を入力すると共に申請情報をその時間に入力することで、操作対象装置を好きなように操作できる。
【０００８】
一方、複雑な操作を望まず、所望の機能を得ることだけしか気にかけないと思われる対象者は、所望の機能を得ることだけを操作の目的とするため、その時間が経過するまでに、欲する機能が働いたと感じることができるので、申請情報を入力することなく、操作情報のみを入力することになる。そうすると、その入力された操作情報が何であろうとも、操作対象装置には、認可済操作に対応した操作信号が入力されることになる。そこで、対象者にとって必要な操作を、その認可された操作にしておく。そうすると対象者が何を入力しても、結局は対象者にとって必要な操作が実現されることになる。よって、対象者にとって、誤操作の心配が減るばかりか、必要な操作のための入力が簡単になる。
【０００９】
その上、先述した便利な機能の提供は、従前の装置に請求項１のインタフェースを付けるだけで実現されるので、製造コストの増加を最低限に抑えることが可能になる。
ところで、何か一つの情報を入力するだけで、対象者に必要な操作が実現されるのが望ましい。そこで次のようにすると良い。請求項２の発明は、第二操作信号入力手段は、申請情報が第一入力手段に入力された時を基準に定まる時間に、未認可操作に対応する操作情報が第一入力手段に入力されなかった場合は、認可済操作に対応した操作信号を入力することを特徴とする請求項１のインタフェースである。
【００１０】
この発明によれば、請求項１のインタフェースと同様の作用効果が得られることに加え、申請情報だけを入力しても、対象者に必要な操作が実現されるので、対象者にとって操作対象装置がより使いやすくなる。つまり、対象者の判断能力が低下して、欲する機能を得ることだけしか関心を示さず、その機能が得られるまで無秩序に操作を行って、申請情報ばかりを入力することも考えられる。その場合であっても、この発明によれば、対象者に必要な操作あるいは対象者が欲した機能を得るための操作が実現されることになる。なお、ここでの「時間」と請求項１での「時間」との長さは、同じでなくても良い。
【００１１】
ところで、例えば設定変更や新たな設定を行うために、たくさんの操作情報を入力する場合、判断能力や操作能力が高い非対象者であっても請求項１や請求項２の構成では全てを入力するのは難しいときがある。そうすると、一つの操作情報を入力する度に申請情報を入力する必要があり、操作が面倒である。そこで次のようにすると良い。
【００１２】
請求項３の発明は、第一操作信号入力手段は、未認可操作の認可をしてから所定時間が経つまでに未認可操作に対応する操作情報が第一入力手段に入力された場合、その入力された操作情報によって特定される操作信号を入力することを特徴とする請求項１又は請求項２のインタフェースである。
【００１３】
この発明によれば、請求項１又は請求項２のインタフェースと同様の作用効果が得られることに加え、操作対象装置に未認可操作の操作信号が入力された後は、所定時間以内であれば、操作情報の入力だけで所望の操作が実現できる。これにより、非対象者が設定変更を行ったり、新たな設定を行ったりし易くなる。
【００１４】
ところで、例えば、判断能力が低下した対象者であっても複数の機能を欲する場合、例えば電源のオン／オフと強度の変更とを行うことを欲することがある。このような場合には、認可済操作が一つしかないと不便な場合がある。そこで次のようにすると良い。請求項４の発明は、認可済操作は複数あり、その複数ある認可済操作の中の一つが、特定の認可済操作として予め定められており、第二操作信号入力手段は、未認可操作に対応する操作情報が第一入力手段に入力された場合に、上記時間に申請情報が第一入力手段に入力されなかったときは、特定の認可済操作に対応した操作信号を入力することを特徴とする請求項１〜請求項３何れかのインタフェースである。
【００１５】
この発明によれば、請求項１〜請求項３何れかのインタフェースと同様の作用効果が得られることに加え、複数の認可済操作を設けつつ、対象者にとって、最も必要な操作が入力しやすいようにできる。これにより、例えば、対象者が最も欲する電源のオン／オフが優先して実行され、対象者が強度の変更を欲した場合に、それを実行することも可能になる。
【００１６】
ところで、操作対象装置の電源を通常時は切る必要がある場合は、電源は常時切れているので、操作情報の入力に先立ち、電源操作を行うことが必要となる。しかし、例えば、判断能力の低下した対象者は、電源のオン／オフという概念を持たない場合があり、電源操作が難しい場合がある。そこで次のようにすると良い。請求項５の発明は、第二入力手段は、第一入力手段に入力された操作情報および申請情報の少なくとも一方、並びに操作対象装置の電源の状態に基づいて、操作対象装置の電源を操作するための操作信号を入力する第三操作信号入力手段を備えることを特徴とする請求項１〜請求項４何れかのインタフェースである。
【００１７】
この発明によれば、請求項１〜請求項４の何れかのインタフェースと同様の作用効果が得られることに加え、対象者が単に操作情報を入力するだけで、認可済操作と電源操作とが実現されるので、例えば判断能力の低下した対象者が欲する機能を得ようとして操作を行うだけで、電源の操作と、欲する機能を得るための操作とが同時に行われる。また、非対象者が電源の操作をまず行い、次いで設定変更を行うという操作も可能になる。したがって、対象者と非対象者との両方の利便性がともに向上する。
【００１８】
ところで、次のようにしても所期の目的を達成できる。請求項６の発明は、操作対象装置の操作を特定するための操作情報をユーザが入力するための第一入力手段と、第一入力手段に操作情報が入力されると、操作信号を操作対象装置に入力する第二入力手段とを備え、操作対象装置の操作には、第二入力手段によって予め認可された認可済操作と、認可されていない未認可操作とがあり、第一入力手段は、未認可操作を第二入力手段に認可させるための申請情報をユーザが入力できるようになっており、第二入力手段は、第一入力手段に入力された申請情報に基づいて、未認可操作を認可しない制限状態から、未認可操作を認可する解除状態へ切り換える第一切換手段と、第一切換手段によって解除状態に切り換えられてから所定時間後に、制限状態に戻す第二切換手段とを備えると共に、第一入力手段に操作情報が入力されると、制限状態においては認可済操作に対応した操作信号を入力する一方で、解除状態においては、その入力された操作情報によって特定される操作信号を入力することを特徴とするインタフェースである。
【００１９】
この発明によれば、対象者と非対象者との両者にとって操作対象装置が使い易くなる。理由を述べる。まず「所定時間」を、非対象者にとっては情報入力に十分な時間、対象者にとっては短い時間に設定する。
【００２０】
そうすると、非対象者は、解除状態に切り換えてから所定時間以内に情報を入力することで、操作対象装置を好きなように操作できる。一方、対象者は、解除状態に切り換えてから所定時間以内に情報入力をすることが難しいので、制限状態において情報入力をすることになる。そして、制限状態においては、ユーザが入力した情報が何であろうとも、操作対象装置には、認可済操作に対応した操作信号しか入力されない。そこで、対象者にとって必要な操作をその認可済操作にしておく。
【００２１】
そうすると対象者が何を入力しても、結局は対象者にとって必要な操作が実現されることになる。よって、対象者にとって、誤操作の心配が減るばかりか、必要な操作のための入力が簡単になる。
【図面の簡単な説明】
【００２２】
【図１】浴室制御装置のブロック構成図。
【図２】浴室制御装置の操作パネルの外観図。
【図３】リレー制御処理を示すフローチャート。
【図４】浴室制御処理を示すフローチャート。
【図５】変形例における操作パネルの外観図。
【図６】リモコンのブロック構成図。
【図７】リモコンの外観図。
【図８】電源制御処理を示したフローチャート。
【図９】リモコン制御処理を示したフローチャート。
【図１０】リモコン制御処理を示したフローチャート。
【図１１】空調機のブロック構成図。
【図１２】空調機の操作パネルの外観図。
【図１３】空調機制御処理を示すフローチャート。
【図１４】空調機制御処理を示すフローチャート。
【図１５】携帯電話のブロック構成図。
【図１６】携帯電話の外観図。
【図１７】携帯電話制御処理を示すフローチャート。
【図１８】携帯電話制御処理を示すフローチャート。
【図１９】携帯電話制御処理を示すフローチャート。
【図２０】携帯電話制御処理を示すフローチャート。
【図２１】炊飯器のブロック構成図。
【図２２】炊飯器の操作パネルの外観図。
【図２３】炊飯器制御処理を示すフローチャート。
【図２４】炊飯器制御処理を示すフローチャート。
【図２５】洗濯機のブロック構成図。
【図２６】洗濯機の操作パネルの外観図。
【図２７】洗濯機電源制御処理を示すフローチャート。
【図２８】洗濯機制御処理を示すフローチャート。
【図２９】洗濯機制御処理を示すフローチャート。
【図３０】洗濯機制御処理を示すフローチャート。
【図３１】洗濯機制御処理を示すフローチャート。
【図３２】洗濯機制御処理を示すフローチャート。
【図３３】洗濯機制御処理を示すフローチャート。
【発明を実施するための形態】
【００２３】
本発明の実施例を説明する。
【実施例１】
【００２４】
実施例１は、本発明が適用された浴室制御装置１に関する。図１は、浴室制御装置１のブロック構成図である。浴室制御装置１は、入出力インタフェース／保持／スイッチングユニット（以下、単に「ユニット」と言う。他の実施例でも同じ。）１３０、ＭＣＵ（Micro Controller Unit）１４０、浴室コントローラ１５０、浴室照明機器１８０、浴室機器操作パネル１９９を備える。浴室機器操作パネル１９９は、操作ボタン群１１０、解除ボタン１１１、表示ランプ１１２、１１３、解除ランプ１６０を備える。
【００２５】
操作ボタン群１１０は、後述する複数の操作ボタンを備え、各操作ボタンは図示を省略する換気や温風の供給等を行う浴室機器の各機能に対応している（ただし、解除ボタン１１１を除く）（図２参照）。照明操作パネル１２０は、照明のオン／オフを示すための浴室照明ランプ１２２と照明のオン／オフを切り換えるための浴室照明オン／オフボタン１２３とを備える（図２参照）。これらのボタンが押されると、ユニット１３０及び／又はＭＣＵ１４０を介して、浴室コントローラ１５０や解除ランプ１６０、リレー１７０に操作信号Ｓ１、Ｓ２、Ｓ３が入力されて、浴室照明機器１８０や解除ランプ１６０、表示ランプ１１２、１１３が点灯／消灯したり、浴室機器が動作したりすることになる。つまり、操作ボタン群１１０、照明操作パネル１２０、ユニット１３０及びＭＣＵ１４０は、一体となってマン・マシン・インタフェースとして機能する。
【００２６】
浴室コントローラ１５０は、ユニット１３０から入力された操作信号Ｓ１に基づき、浴室機器用配線１５１を介して浴室機器を制御する。また、リレー１７０は、ＭＣＵ１４０から入力された操作信号Ｓ３に応じて、駆動／オフが切り替わるようになっており、その駆動／オフに呼応して浴室照明機器１８０のオン／オフが切り替わるようになっている。（リレー１７０は、安価な電磁気式有接点型でも耐久性の高いソリッドステート型でも良い。）
ところで、入出力や信号の保持等を行うユニット１３０には、制限状態および解除状態という二つの状態がある（デフォルトは制限状態）。ユニット１３０は、操作ボタン群１１０のどれか一つのボタンが押されてオンになると、そのオンになったボタンに対応する操作信号Ｓ１、Ｓ４を、制限状態においてはＭＣＵ１４０に入力し、解除状態においては浴室コントローラ１５０に入力する。（ただし、解除ボタン１１１に対応する操作信号Ｓ４については、ＭＣＵ１４０には入力するのに対して、浴室コントローラ１５０には入力しないようになっている。他の実施例でも同じ（ただし，解除ボタンの符号や浴室コントローラ１５０を適宜、読み替える必要がある。）。）
そして、ＭＣＵ１４０は、ユニット１３０からの操作信号Ｓ４や照明操作パネル１２０からのボタン信号Ｓ５に基づいて、ユニット１３０の制限状態／解除状態の切り換え、解除ランプ１６０のオン／オフ、リレー１７０の駆動／オフ、照明操作パネル１２０上の浴室照明ランプ１２２の（図２参照）点灯／消灯の切り換え等をする（詳細は図３・図４と共に説明）。（なお、ＭＣＵ１４０は、プログラム型でもロジック型でも良い（他の実施例のＭＣＵも同じ。）。）
よって、制限状態においては、操作ボタン群１１０を操作しても、浴室コントローラ１５０を通じた浴室機器の制御はできず、その代わりに解除ランプ１６０・リレー１７０が操作されることになる（詳細は図３・図４と共に説明）。
【００２７】
また、ユニット１３０は、制限状態では、操作ボタン群１１０からの直近の入力に対応する操作信号Ｓ６を一つだけ保持するようになっている。つまり、保持されている情報は、操作ボタン群１１０からの最新の入力によって上書きされていく。そして、ユニット１３０は、その保持した操作信号Ｓ６を、制限状態から解除状態に移行した時に、浴室コントローラ１５０に操作信号Ｓ１として入力するようになっている。
【００２８】
解除ランプ１６０は、解除ボタン１１１のバックランプである。そして、解除ランプ１６０が、ユニット１３０が解除状態の時にオン（点灯）、制限状態の時にオフ（消灯）になるように、ＭＣＵ１４０からは操作信号Ｓ２を入力するようになっている。
【００２９】
図２は、浴室機器操作パネル１９９と照明操作パネル１２０の外観図である。図に示すように、浴室機器操作パネル１９９は、浴室コントローラ１５０を内部に備え、表面に位置する操作ボタン群１１０には「フィルタリセット」「切」「タイマ設定」「浴室切」「換気」「乾燥涼風」「予備暖房」「２４時間連続換気」の浴室機器の各機能に対応したボタン１６１、１６２、１６３、１６４、１６５、１６６、１６７、１６８がある。各ボタンには、動作状態、又は選択状態を表示する二つの表示ランプ１１２、１１３が対応付けられている。
【００３０】
操作ボタン群１１０の下方に、解除ボタン１１１がある。解除ボタン１１１は、操作ボタン群１１０とは分別可能に離れて配設されており、ユニット１３０について制限状態を解除状態に切り換えるためのものである（詳細は図４と共に説明）。
【００３１】
また、浴室機器操作パネル１９９の下方に並んで位置する照明操作パネル１２０は、ユニット１３０とＭＣＵ１４０とリレー１７０とを内部に備え、表面には浴室照明機器１８０がオンかオフかを点灯によって示す浴室照明ランプ１２２と、浴室照明機器１８０のオン／オフを切り換えるための浴室照明オン／オフボタン１２３とを備える。浴室照明ランプ１２２は、ＭＣＵ１４０からの操作信号Ｓ７によってオン／オフが切り換えられる。
【００３２】
図３は、リレー制御処理を示すフローチャートである。この処理は、ＭＣＵ１４０が主体となって時間割り込みで（つまり定期的に）実行する処理である。
まず、浴室照明オン／オフボタン１２３がオンになった（浴室照明オン／オフボタン１２３が押されたことを示すボタン信号Ｓ５が入力されたこと。以下「○○ボタンがオン」と言えば、そのボタンに対応するボタン信号Ｓ６またはユニット１３０からの操作信号Ｓ４が入力されたこと、「○○ボタンがオフ」と言えば、そのボタンに対応するボタン信号Ｓ６または操作信号Ｓ４が入力されていないことを意味する。他の実施例でも同じ。）かを読み込み（Ｓ１１１０）、オフと判定すると（Ｓ１１２０ＮＯ）、この処理を終える。
【００３３】
一方、オンと判定すると（Ｓ１１２０ＹＥＳ）、浴室照明ランプ１２２のオン／オフを反転させる（Ｓ１１３０）。そして、オフからオンへ切り換えられたかを判定する（Ｓ１１４０）。オフからオンと判定すると（Ｓ１１４０ＹＥＳ）、リレー１７０を駆動して（Ｓ１１５０）、この処理を終える。そうすると、浴室照明機器１８０が点灯する。
【００３４】
一方、オンからオフと判定すると（Ｓ１１４０ＮＯ）、リレー１７０をオフにして（Ｓ１１６０）、この処理を終える。そうすると、浴室照明機器１８０が消灯する。
なお、デフォルトはリレー１７０がオフである。また、リレー１７０は、駆動してから五時間経過後にオフに戻るように、図示しない処理ルーチンによって制御される。
【００３５】
以上のリレー制御処理により、浴室照明オン／オフボタン１２３が操作される毎に、浴室照明機器１８０の点灯や消灯が行われる。また、浴室照明ランプ１２２によるモニタ点灯が行われる。
【００３６】
図４は、浴室制御処理を示すフローチャートである。この処理は、ＭＣＵ１４０が主体となって繰り返し実行するものである。この処理の特徴は、機能ボタン（操作ボタン群１１０に属するボタン１６１〜１６８）の何れかと解除ボタン１１１とが素早く操作されなければ、操作されたボタンがどれかに関係なく、リレー１７０の駆動／オフを実行する点にある。これは「例えば、老人などの判断能力が低下した対象者が欲したり必要としたりする機能は、浴室照明機器１８０のオン／オフだけであり、浴室換気を行ったり浴室乾燥を欲したりすることは、ほとんどない」という設計思想に基づいている。
【００３７】
まず、ユニット１３０からの操作信号Ｓ４を読み込む（Ｓ１２０５）。そして、解除ボタン１１１がオンかを判定する（Ｓ１２１５）。解除ボタン１１１がオンと判定すると（Ｓ１２１５ＹＥＳ）、ＭＣＵ１４０自身が内蔵したタイマをクリア／スタートする（Ｓ１２２０）。
【００３８】
そして、ユニット１３０からの操作信号Ｓ４を読み込んで（Ｓ１２２５）、機能ボタン１６１〜１６８がどれもオフと判定すると（Ｓ１２３０ＮＯ）、タイマが１．５秒以下かを判定する（Ｓ１２３５）。１．５秒以下と判定すると（Ｓ１２３５ＹＥＳ）、Ｓ１２２５の操作信号Ｓ４の読み込み処理に戻る。
【００３９】
そして、機能ボタン１６１〜１６８のどれか一つ（例えばボタン１６５）がオンと判定すると（Ｓ１２３０ＹＥＳ）、ユニット１３０を解除状態に移行させる（Ｓ１２４０）。解除ボタン１１１が操作されてから、設定等を行う機能ボタン１６１〜１６８が素早く操作されたことに基づいて、今操作している者が意識的に設定変更等を行いたいのであると判断し、設定変更等を可能にしている。これは、老人等の判断能力が低下した者は、設定変更などの直接外観の変更に結び付かない操作は欲しないため、対象者は、機能ボタン１６１〜１６８、又は解除ボタン１１１を押してもしばらく、例えば２秒程度は、ボタンを続けて押すことはない、という設計思想に基づいている。
【００４０】
そうするとユニット１３０は先述したように、Ｓ１２２５でオンにされた機能ボタン１６１〜１６８、例えばボタン１６５に対応する操作信号Ｓ１を浴室コントローラ１５０に入力する。また、先述したようにユニット１３０は、解除状態において、機能ボタン１６１〜１６８のどれか一つがオンになると、そのオンの機能ボタンに対応する操作信号Ｓ１を浴室コントローラ１５０に直接、入力する。
【００４１】
そして、解除ランプ１６０を点灯させる（Ｓ１２５０）。そして、解除状態にしてから１分後、ユニット１３０を制限状態に戻すと共に、解除ランプ１６０を消灯して（Ｓ１２６０）、この処理を終える。これは、設定変更等の操作は１分以内に完了することによる。
【００４２】
一方、タイマが１．５秒を越えたと判定すると（Ｓ１２３５ＮＯ）、この処理を終えると共に、リレー制御処理（図３参照）をＳ１１３０から実行する。そうすると、浴室照明機器１８０のオン／オフの切り換えが実行される。（解除ボタン１１１がオンになってから所定時間、機能ボタン１６１〜１６８の何れかが押されなかったことに基づいて、ユーザが照明のオン／オフだけを期待する対象者であると見なしている。）
一方、浴室制御処理の起動後、操作信号Ｓ４を読み込んだ後（Ｓ１２０５）、解除ボタン１１１がオフと判定すると（Ｓ１２１５ＮＯ）、機能ボタン１６１〜１６８のどれか一つがオンかを判定する（Ｓ１２６５）。どれもオフと判定すると（Ｓ１２６５ＮＯ）、ボタン操作が何も行われていないので、この処理を終える。一方、機能ボタン１６１〜１６８のどれか一つがオンと判定すると（Ｓ１２６５ＹＥＳ）、タイマをクリア／スタートする（Ｓ１２７０）。そして、ユニット１３０からの操作信号Ｓ４を読み込み（Ｓ１２７５）、解除ボタン１１１がオフと判定すると（Ｓ１２８０ＮＯ）、タイマが１秒以下かを判定する（Ｓ１２８５）。１秒以下と判定すると（Ｓ１２８５ＹＥＳ）、Ｓ１２７５の操作信号Ｓ４の読み込みに戻る。つまり、機能ボタン１６１〜１６８の何れかが操作されてから、１秒間だけ解除ボタン１１１の操作を待つ。
【００４３】
一方、１秒を越えていると判定すると（Ｓ１２８５ＮＯ）、この処理を終えると共に、リレー制御処理をＳ１１３０から実行する。（機能ボタン１６１〜１６８のどれか一つがオンになってから所定時間、解除ボタン１１１がオンにされなかったことに基づいて、ユーザが設定変更等を望まない対象者であると見なしている。）
一方、解除ボタン１１１がオンと判定すると（Ｓ１２８０ＹＥＳ）、ユニット１３０を解除状態にするＳ１２４０に進む。（解除ボタン１１１が素早く操作されたことに基づいて、ユーザが非対象者であると見なしている。）なお、Ｓ１２８０から進んだ場合は、ユニット１３０に保持されていたＳ１２０５の読み込み結果が浴室コントローラ１５０に入力されることになる。
【００４４】
なお、Ｓ１２３５ではタイマの設定を１．５秒としているのに対して、Ｓ１２８５では１秒としている目的は、判定基準をより厳しくするためである。その理由は、Ｓ１２６５ＹＥＳと進み、Ｓ１２８０ＹＥＳと進むのは例外的な操作だからである（他の実施例でもタイマの設定時間に差がある理由は、この理由と同じ）。なお、１．５秒や１秒の値は、解除ボタン１１１の位置に応じて適切な値を実験によって設定する。例えば、解除ボタン１１１が機能ボタン１６１〜１６８から大きく離れていれば、時間を長くする。
【００４５】
効果を述べる。浴室制御装置１によれば、対象者と非対象者との両者にとって、浴室機器が使い易くなる。どれか一つのボタンを押して所定時間待てば、浴室照明機器１８０のオン／オフがされるので、先述したように、対象者も欲した動作を得ることが可能である。一方、操作情報をユニット１３０から浴室コントローラ１５０への操作信号Ｓ１の入力が実現されるように操作することは、先述したように対象者は行わないので、意図しない換気が作動する等の誤操作が行われる可能性が小さい。
【００４６】
また、解除ボタン１１１を組み合わせて素早い操作をすれば既存の装置と同じように浴室機器の操作ができるようになっているので、上記のような効果を得ながらも、非対象者にとっての使い勝手も既存の装置とほとんど変わらないままである。したがって、既存の装置の設計を大きく変更することなく、先述した便利の機能が得られ、製造コストの低減を図ることができる。
【００４７】
また、解除ボタン１１１と機能ボタン１６１〜１６８とが同一パネル内、又は同一操作エリア内にあり、わずかな説明だけで使い方が理解できる。また、機能ボタン１６１〜１６８の群れと解除ボタン１１１との位置が分けられていたり、解除ボタン１１１が大きかったりすることにより、非対象者は、一度使い方を覚えると、以後、ボタン配置を見るだけで使い方を思い出せ、使い勝手が良い。実施例１の効果としてこの段落で述べたことは、後述する他の実施例でも同じである。
【００４８】
図５は、浴室機器操作パネル１９９の変形例としての浴室機器操作パネル１９８である。浴室機器操作パネル１９８は、操作ボタン群１１８、表示ランプ１１２、１１３、浴室コントローラ１５０を備え、既存の装置をそのまま流用できるように、解除ボタン１１１を備えていない。解除ボタン１１１は、浴室機器操作パネル１９８とは別体のものとして、解除ボタン取り付けプレート１６９に取り付けられている。この解除ボタン取り付けプレート１６９の内側には、リレー１７０とユニット１３０とＭＣＵ１４０とが配設されている。これにより、既存の浴室機器操作パネル１９８や照明操作パネル１２０をほとんど変更することなくそのまま利用でき、製造コストを低減することが可能である。なお、解除ボタン取り付けプレート１６９を設けた以外は、ほぼ同一構造である。
【実施例２】
【００４９】
実施例２〜実施例６は、実施例１と同様な趣旨に基づくものである。よって、実施例２〜実施例６では、詳細な説明や、図面における符号を適宜、省略する。
実施例２は、本発明が適用されたリモコン２に関する。リモコン２はＴＶ（テレビ）の操作用である。図６は、リモコン２のブロック構成図である。図６に示すように、リモコン２は、操作ボタン群２１０、解除ボタン２１１、ユニット２３０、ＭＣＵ２４０、ＴＶリモコン・コントローラ２５０、解除ランプ２６０、発光素子２９０、送信インジケータ２９５を備える。
【００５０】
操作ボタン群２１０の各機能ボタンは、ＴＶの各機能に対応している（図７参照）。ユニット２３０には、実施例１のユニット１３０と同じように、制限状態／解除状態がある。ユニット２３０は、操作ボタンが押されてオンになると、オンの操作ボタンに対応する操作信号を、制限状態においてはＭＣＵ２４０に入力し、解除状態においては、ＴＶリモコン・コントローラ２５０に入力する。
【００５１】
また、ユニット２３０は、制限状態では、操作ボタン群２１０からの直近の入力に対応する操作信号を保持するようになっていると共に、保持した操作信号を、制限状態から解除状態に移行した時にＴＶリモコン・コントローラ２５０に入力するようになっている。また、デフォルトは制限状態である。
【００５２】
ＭＣＵ２４０は、ユニット２３０から操作信号を受けると、解除ランプ２６０のオン／オフをしたり、所定の機能（ＴＶの電源のオン／オフ等。詳細は図９・図１０と共に説明。）に対応する操作信号をＴＶリモコン・コントローラ２５０に入力したり、ユニット２３０の制限状態／解除状態の切り換えをしたりする。
【００５３】
ＴＶリモコン・コントローラ２５０は、ユニット２３０から入力された操作信号に基づいて発光素子２９０に発光させると共に、送信インジケータ２９５を所定時間、点灯させる。
【００５４】
図７は、リモコン２の外観図である。図に示すように、操作ボタン群２１０は「消音」「入力切換」「チャンネル（１〜９）」「数字（１０〜１２）」「選局＋」「選局−」「音量大」「音量小」「電源」の数字または各機能に対応する各機能ボタンを備える。また、先述したように、リモコン２は、解除ボタン２１１、送信インジケータ２９５、解除ランプ２６０を備える。
【００５５】
図８は、電源制御処理を示したフローチャートである。この処理は、ＭＣＵ２４０が主体となって繰り返し実行する処理である。
まず、ユニット２３０からの操作信号を読み込み（Ｓ２１１０）、電源ボタンがオフと判定すると（Ｓ２１２０ＮＯ）、この処理を終える。一方、電源ボタンがオンと判定すると（Ｓ２１２０ＹＥＳ）、ユニット２３０を制限状態から解除状態に移行させる（Ｓ２１３０）。
【００５６】
そうすると、ユニット２３０に保持されていた電源ボタンの操作信号が、ＴＶリモコン・コントローラ２５０に入力される。そうすると、電源のオン／オフを切り換えるための光が発光素子２９０から発せられることになる。そして、ユニット２３０を解除状態から制限状態に戻して（Ｓ２１４０）、この処理を終える。
【００５７】
図９は、リモコン制御処理を示したフローチャートである。この処理は、ＭＣＵ２４０が主体となって繰り返し実行するものである。この処理では、制限状態においてはＴＶの電源オン／オフ以外の操作が制限される。そして、消音、入力切換および数字（１０〜１２）の操作だけを制限する場合がある（第二制限状態）。
【００５８】
まず、ユニット２３０からの操作信号を読み込む（Ｓ２２０５）。そして、解除ボタン２１１がオンかを判定する（Ｓ２２１５）。解除ボタン２１１がオンと判定すると（Ｓ２２１５ＹＥＳ）、ＭＣＵ２４０自身が内蔵したタイマをクリア／スタートする（Ｓ２２２０）。そして、ユニット２３０からの操作信号を読み込み（Ｓ２２２５）、機能ボタンのどれか一つがオンかを判定する（Ｓ２２３０）。どれもオフと判定すると（Ｓ２２３０ＮＯ）、タイマが１秒以下かを判定する（Ｓ２２３５）。１秒以下と判定すると（Ｓ２２３５ＹＥＳ）、Ｓ２２２５に戻る。
【００５９】
そして、機能ボタンのどれか一つがオンと判定すると（Ｓ２２３０ＹＥＳ）、ユニット２３０を解除状態に移行させる（Ｓ２２４５）。
そうするとユニット２３０は先述したように、Ｓ２２２５でオンにされた機能ボタンに対応する操作信号をＴＶリモコン・コントローラ２５０に入力する。また、解除状態においてユニット２３０は、オンの機能ボタンに応じた操作信号をＴＶリモコン・コントローラ２５０に入力する。
【００６０】
そして、解除ランプ２６０を点灯させる（Ｓ２２５０）。そして、解除状態にしてから一分後、ユニット２３０を制限状態に戻すと共に、解除ランプ２６０を消灯させる（Ｓ２２６０）。
【００６１】
一方、タイマが１秒を越えたと判定すると（Ｓ２２３５ＮＯ）、ユニット２３０に保持された情報を、電源の操作信号に書き換える（Ｓ２２４０）。そして、この処理を終えると共に、電源制御処理をＳ２１３０から実行する。
【００６２】
一方、解除ボタン２１１がオフと判定すると（Ｓ２２１５ＮＯ）、機能ボタンのどれか一つがオンかを判定する（Ｓ２２６５）。どれもオフと判定すると（Ｓ２２６５ＮＯ）、この処理を終える。
【００６３】
一方、機能ボタンのどれか一つがオンと判定すると（Ｓ２２６５ＹＥＳ）、タイマをクリア／スタートする（Ｓ２２７０）。そして、操作信号を読み込み（Ｓ２２７５）、解除ボタン２１１がオフと判定すると（Ｓ２２８０ＮＯ）、タイマが０．７秒以下かを判定する（Ｓ２２８５）。０．７秒以下と判定すると（Ｓ２２８５ＹＥＳ）、Ｓ２２７５に戻る。
【００６４】
そして、解除ボタンがオンと判定すると（Ｓ２２８０ＹＥＳ）、Ｓ２２４５に進む。一方、０．７秒を越えていると判定すると（Ｓ２２８５ＮＯ）、図１０に移って、操作信号を読み込み（Ｓ２３１０）、消音、入力切換または数字（１０〜１２）に対応するものであるかを判定する（Ｓ２３２０）。消音、入力切換または数字（１０〜１２）に対応すると判定すると（Ｓ２３２０ＹＥＳ）、ユニット２３０に保持された情報を、電源の操作信号に書き換える（Ｓ２３３０）。そして、この処理を終えると共に、電源制御処理をＳ２１３０から実行する。（この書き換えによって、第二制限状態が作り出される。）
一方、消音、入力切換または数字（１０〜１２）でないと判定すると（Ｓ２３２０ＮＯ）、この処理を終えると共に、電源制御処理をＳ２１３０から実行する。そうすると、電源制御処理において、電源操作以外の操作のための処理を実行することになる。
【００６５】
効果を述べる。リモコン２は、浴室制御装置１と同じように、対象者と非対象者との両者にとって使い易いものである。つまり、選局、音量および電源は、使用頻度が高いので制限なくそのまま使用できるようになっていて便利である。そして、消音、入力切換および数字については使用頻度が低いので、制限状態においては電源操作に置き換えるようになっており、対象者による誤操作を防ぐことができる。
【００６６】
なお、ＭＣＵ２４０とＴＶリモコン・コントローラ２５０とを同一の素子で構成しても良い。また、リモコン２の構成は任意であり、ビデオデッキ、オーディオ、家電のリモコンと併用しても良い。
【実施例３】
【００６７】
実施例３は、本発明が適用された空調機３に関する。図１１は、空調機３のブロック構成図である。空調機３は、ＭＣＵ３４０、空調機制御装置３５０、運転ランプ３８０、空調機操作パネル３９９を備える。空調機操作パネル３９９は、操作ボタン群３１０、解除ボタン３１１、解除ランプ３６０、ディスプレイ３９０を備える。
【００６８】
操作ボタン群３１０の各機能ボタンは、空調機の各機能に対応している（図１２参照）。ＭＣＵ３４０は、言わば、実施例１・２におけるＭＣＵとユニットとの機能を合わせ持つものである。つまり、操作ボタン群３１０の操作ボタンのどれか一つがオンになると、制限状態においては空調機の運転／停止の切り換えの操作信号を、解除状態においてはオンの操作ボタンに応じた操作信号を、空調機制御装置３５０に入力する。（詳細は図１３・図１４で説明）。そして、必要に応じて、運転ランプ３８０と解除ランプ３６０とに操作信号を入力する。
【００６９】
これから、ＭＣＵ３４０のようにユニットの機能を合わせ持つＭＣＵを一体型ＭＣＵ、ユニットの機能を持たないＭＣＵを別体型ＭＣＵと呼ぶ。一体型ＭＣＵは、別体型ＭＣＵに比べて、初めから本発明を適用して設計する場合にはコスト等で有利である。それに対して、既存の製品に対して後付けで本発明を適用する場合には、別体型ＭＣＵの方が有利である。
【００７０】
空調機制御装置３５０は、ＭＣＵ３４０から入力された操作信号に基づいて、室外機等の空調機（図示なし）とディスプレイ３９０とを制御する。
図１２は、空調機操作パネル３９９の外観図である。図に示すように、空調機操作パネル３９９には「設定記憶」「朝自動運転」「就寝時自動停止」「運転／停止」「設定ダイヤル」の各機能に対応したボタン（ダイヤル）に対応する各機能ボタンを含む操作ボタン群３１０、ディスプレイ３９０、及び解除ボタン３１１がある。なお、解除ランプ３６０は、解除ボタン３１１のバックランプである。
【００７１】
なお、設定記憶→朝自動運転→ダイヤル→設定記憶の順で押すことで、運転自動開始時刻が設定できる。朝自動運転によって運転を開始した場合、一時間後に運転を停止する。また、設定記憶→就寝自動停止→ダイヤル→設定記憶の順に押すと、運転自動停止時刻が設定できる。
【００７２】
図１３は、空調機制御処理を示すフローチャートである。この処理は、ＭＣＵ３４０が主体となって繰り返し実行するものである。
まず、操作ボタン群３１０からのボタン信号を読み込む（Ｓ３２０５）。そして、解除ボタン３１１がオンかを判定する（Ｓ３２１５）。オンと判定すると（Ｓ３２１５ＹＥＳ）、ＭＣＵ３４０自身が内蔵したタイマをクリア／スタートする（Ｓ３２２０）。そして、操作ボタン群３１０からのボタン信号の読み込みをして（Ｓ３２２５）、機能ボタンのどれか一つがオンかを判定する（Ｓ３２３０）。どれもオフと判定すると（Ｓ３２３０ＮＯ）、タイマが１秒以下かを判定する（Ｓ３２３５）。１秒以下と判定すると（Ｓ３２３５ＹＥＳ）、Ｓ３２２５に戻る。
【００７３】
そして、機能ボタンのどれか一つがオンと判定すると（Ｓ３２３０ＹＥＳ）、オンの機能ボタンに対応する操作信号を空調機制御装置３５０に入力する（Ｓ３２４０）。そして、解除状態に移行する（Ｓ３２４５）。そして、解除ランプ３６０を点灯させる（Ｓ３２５０）。そして、解除状態になってから一分後、制限状態に戻ると共に、解除ランプ３６０を消灯させる（Ｓ３２６０）。
【００７４】
一方、タイマが１秒を越えたと判定すると（Ｓ３２３５ＮＯ）、図１４に移って、空調機の動作状態を調べる（Ｓ３３１０）。つまり、空調機が運転中なのか停止中なのかが分かる情報を、空調機制御装置３５０から取得する。そして、停止中であると判定すると（Ｓ３３２０ＮＯ）、空調機の運転が開始されるように空調機制御装置３５０に操作信号を入力して（Ｓ３３３０）、この処理を終える。
【００７５】
一方、運転中であると判定すると（Ｓ３３２０ＹＥＳ）、空調機の運転が停止されるように空調機制御装置３５０に操作信号を入力して（Ｓ３３４０）、この処理を終える。
図１３に戻り、解除ボタン３１１がオフと判定すると（Ｓ３２１５ＮＯ）、機能ボタンのどれか一つがオンかを判定する（Ｓ３２６５）。どれもオフと判定すると（Ｓ３２６５ＮＯ）、この処理を終える。
【００７６】
一方、機能ボタンのどれか一つがオンと判定すると（Ｓ３２６５ＹＥＳ）、タイマをクリア／スタートする（Ｓ３２７０）。そして、操作ボタン群３１０からのボタン信号を読み込み（Ｓ３２７５）、解除ボタン３１１がオフと判定すると（Ｓ３２８０ＮＯ）、タイマが０．８秒以下かを判定する（Ｓ３２８５）。０．８秒以下と判定すると（Ｓ３２８５ＹＥＳ）、Ｓ３２７５に戻る。一方、０．８秒を越えていると判定すると（Ｓ３２８５ＮＯ）、図１４のＳ３３１０〜Ｓ３３４０を実行して、この処理を終える。
【００７７】
一方、解除ボタンがオンと判定すると（Ｓ３２８０ＹＥＳ）、Ｓ３２４０に進む。Ｓ３２８０から進んだ場合は、Ｓ３２４０において、Ｓ３２０５の読み込み結果を入力する。
空調機３は、浴室制御装置１と同じように、対象者と非対象者との両者にとって使い易いものである。さらに、空調機３はユニットを用いていないので、装置が簡潔になっている。
【実施例４】
【００７８】
実施例４は、本発明が適用された携帯電話４に関する。図１５は、携帯電話４のブロック構成図である。携帯電話４は、操作ボタン群４１０、解除ボタン４１１、ユニット４３０、ＭＣＵ４４０、中央制御装置４５０を備える。ＭＣＵ４４０は別体型ＭＣＵなので、ユニット４３０が必要となる。
【００７９】
操作ボタン群４１０の各機能ボタンは、数字や携帯電話の各機能に対応している（図１６参照）。ユニット４３０には、制限状態と解除状態とがあり、操作ボタンが押されてオンになると、その操作ボタンに対応する操作信号を、制限状態においてはＭＣＵ４４０に入力し、解除状態においては中央制御装置４５０に入力する。
【００８０】
また、ユニット４３０は、制限状態では、操作ボタン群４１０からの直近の入力に対応する操作信号を保持するようになっていると共に、保持した操作信号を、制限状態から解除状態に移行した時に中央制御装置４５０に入力するようになっている。また、デフォルトは制限状態である。
【００８１】
ＭＣＵ４４０は、ユニット４３０から操作信号を受けると、解除ランプ４６０のオン／オフをしたり、所定の機能（通話開始等。詳細は図１７〜図２０と共に説明。）に対応する操作信号を中央制御装置４５０に入力したり、ユニット２３０の制限状態／解除状態の切り換えをしたりする。中央制御装置４５０は、ユニット４３０又はＭＣＵ４４０から入力された操作信号に基づいて、ディスプレイ４９０を制御すると共に、通信・通話等の機能を実現する。
【００８２】
図１６は、携帯電話４の外観図である。図に示すように、携帯電話４には、操作ボタン群４１０に属するワンタッチダイヤル４１２及びダイヤル４１３等の各機能ボタン、並びに解除ボタン４１１がある。また、携帯電話４には、ディスプレイ４９０、解除ランプ４６０がある。解除ランプ４６０がオフの時は制限状態、オンの時は解除状態であることを示す。
【００８３】
図１７は、携帯電話制御処理を示すフローチャートである。この処理は、ＭＣＵ４４０が主体となって繰り返し実行するものである。この処理では、制限状態においては、通話の開始／終了以外の操作が制限される。
【００８４】
まず、中央制御装置４５０からの情報に基づいて着信中または通話中か否かを判定する（Ｓ４２０１）。着信中または通話中と判定すると（Ｓ４２０１ＹＥＳ）、図１８に移って、ユニット４３０からの操作信号の読み込みをする（Ｓ４３０５）。そして、通話中であるかを中央制御装置４５０からの情報に基づいて判定する（Ｓ４３１０）。通話中と判定すると（Ｓ４３１０ＹＥＳ）、ユニット４３０を介して解除ボタン４１１がオンかを判定する（Ｓ４３１５）。オンと判定すると（Ｓ４３１５ＹＥＳ）、ＭＣＵ４４０自身が内蔵したタイマをクリア／スタートする（Ｓ４３２０）。
【００８５】
そして、ユニット４３０からの操作信号を読み込んで（Ｓ４３２５）、機能ボタンのどれもがオフと判定すると（Ｓ４３３０ＮＯ）、タイマが１秒以下かを判定する（Ｓ４３３５）。１秒以下と判定すると（Ｓ４３３５ＹＥＳ）、Ｓ４３２５に戻る。
【００８６】
そして、機能ボタンのどれか一つがオンと判定すると（Ｓ４３３０ＹＥＳ）、ユニット４３０を解除状態にする（Ｓ４３４０）。そして、解除ランプ４６０を点灯させる（Ｓ４３５０）。そして、解除状態にしてから一分後、ユニット４３０を制限状態に戻すと共に、解除ランプ４６０を消灯させて（Ｓ４３６０）、この処理を終える。
【００８７】
一方、タイマが１秒を越えたと判定すると（Ｓ４３３５ＮＯ）、通話または発信を終了させる操作信号（Ｓ４３３５ＮＯから進んだ場合は通話を終了する操作信号、図２０のＳ４５６５ＹＥＳから進んだ場合は発信を終了する操作信号）を中央制御装置４５０に入力して（Ｓ４３３７）、この処理を終える。
【００８８】
一方、解除ボタン４１１がオフと判定すると（Ｓ４３１５ＮＯ）、ユニット４３０からの操作信号を読み込み（Ｓ４３６２ＹＥＳ）、機能ボタンのどれもがオフと判定すると（Ｓ４３６５ＮＯ）、この処理を終える。一方、どれか一つがオンと判定すると（Ｓ４３６５）、Ｓ４３３７に進む。
【００８９】
一方、通話中でないと判定すると（Ｓ４３１０ＮＯ）、図１９に移って、解除ボタン４１１がオンかを判定する（Ｓ４４１５）。オンと判定すると（Ｓ４４１５ＹＥＳ）、タイマをクリア／スタートする（Ｓ４４２０）。そして、ユニット４３０からの操作信号を読み込み（Ｓ４４２５）、機能ボタンのどれもがオフと判定すると（Ｓ４４３０ＮＯ）、タイマが１．２秒以下かを判定する（Ｓ４４３５）。１．２秒以下と判定すると（Ｓ４４３５ＹＥＳ）、Ｓ４４２５に戻る。
【００９０】
一方、機能ボタンのどれか一つがオンと判定すると（Ｓ４４３０ＹＥＳ）、図１８のＳ４３４０に移る。一方、タイマが１．２秒を越えたと判定すると（Ｓ４４３５ＮＯ）、通話または発信を開始するための操作信号を中央制御装置４５０に入力して（Ｓ４４８０）、この処理を終える。
【００９１】
一方、解除ボタン４１１がオフと判定すると（Ｓ４４１５）、ユニット４３０からの操作信号を読み込み（Ｓ４４６２）、機能ボタンのどれもがオフと判定すると（Ｓ４４６５ＮＯ）、この処理を終える。一方、どれか一つがオンと判定すると（Ｓ４４６５ＹＥＳ）、Ｓ４４８０に進む。
【００９２】
図１７に戻る。着信中または通話中でないと判定すると（Ｓ４２０１ＮＯ）、ユニット４３０からの操作信号を読み込む（Ｓ４２０５）。そして発信中かを判定する（Ｓ４２１０）。発信中でないと判定すると（Ｓ４２１０ＮＯ）、解除ボタン４１１がオンかを判定する（Ｓ４２１５）。解除ボタン４１１がオンと判定すると（Ｓ４２１５ＹＥＳ）、タイマをクリア／スタートする（Ｓ４２２０）。
【００９３】
そして、ユニット４３０からの操作信号を読み込み（Ｓ４２２５）、機能ボタンのどれもがオフと判定すると（Ｓ４２３０ＮＯ）、タイマが１秒以下かを判定する（Ｓ４２３５）。１秒以下と判定すると（Ｓ４２３５ＹＥＳ）、Ｓ４２２５に戻る。
【００９４】
一方、機能ボタンのどれか一つがオンと判定すると（Ｓ４２３０ＹＥＳ）、図１８のＳ４３４０に進む。一方、タイマが１秒を越えたと判定すると（Ｓ４２３５ＮＯ）、図１９のＳ４４８０に進む。
【００９５】
一方、解除ボタン４１１がオフと判定すると（Ｓ４２１５）、ユニット４３０からの操作信号を読み込み（Ｓ４２６２）、機能ボタンのどれもがオフと判定すると（Ｓ４２６５ＮＯ）、この処理を終える。
【００９６】
一方、どれかがオンと判定すると（Ｓ４２６５ＹＥＳ）、タイマをクリア／スタートする（Ｓ４２７０）。そして、ユニット４３０からの操作信号を読み込み（Ｓ４２７５）、解除ボタン４１１がオフと判定すると（Ｓ４２８０ＮＯ）、タイマが０．７秒以下かを判定する（Ｓ４２８５）。０．７秒以下と判定すると（Ｓ４２８５ＹＥＳ）、Ｓ４２７５に戻る。
【００９７】
一方、解除ボタン４１１がオンと判定すると（Ｓ４２８０ＹＥＳ）、図１８のＳ４３４０に進む。一方、タイマが０．７秒を越えたと判定すると（Ｓ４２８５ＮＯ）、図１９のＳ４４８０に進む。
【００９８】
一方、発信中と判定すると（Ｓ４２１０ＹＥＳ）、図２０に移って、ユニット４３０からの操作信号を読み込み（Ｓ４５０５）、解除ボタン４１１がオンと判定すると（Ｓ４５１０ＹＥＳ）、タイマをクリア／スタートする（Ｓ４５２０）。そして、ユニット４３０からの操作信号を読み込み（Ｓ４５２５）、機能ボタンのどれもがオフと判定すると（Ｓ４５３０ＮＯ）、タイマが１秒以下かを判定する（Ｓ４５３５）。１秒以下と判定すると（Ｓ４５３５ＹＥＳ）、Ｓ４５２５に戻る。
【００９９】
一方、機能ボタンのどれか一つがオンと判定すると（Ｓ４５３０ＹＥＳ）、図１８のＳ４３４０に進む。一方、タイマが１秒を越えたと判定すると（Ｓ４５３５ＮＯ）、図１８のＳ４３３７に進む。
【０１００】
一方、解除ボタン４１１がオフと判定すると（Ｓ４５１０ＮＯ）、ユニット４３０からの操作信号を読み込み（Ｓ４５６２）、機能ボタンのどれか一つがオンと判定すると（Ｓ４５６５ＹＥＳ）、図１８のＳ４３３７に進む。一方、どれもオフと判定すると（Ｓ４５６５ＮＯ）、この処理を終える。
【０１０１】
携帯電話４は、浴室制御装置１と同じように、対象者と非対象者との両者にとって使い易いものである。さらに、携帯電話４は、通話の開始／終了をする場合は、どのボタンを押しても良いので、非対象者にとっても慌てているときなどには便利である。なお、ＭＣＵ４４０と中央制御装置４５０とを同一の制御素子で構成しても良い。
【実施例５】
【０１０２】
実施例５は、本発明が適用された炊飯器５に関する。図２１は、炊飯器５のブロック構成図である。炊飯器５は、ＭＣＵ５４０、炊飯器制御装置５５０、炊飯装置５６５、炊飯器操作パネル５９９を備える。
【０１０３】
炊飯器操作パネル５９９は、操作ボタン群５１０、解除ボタン５１１、解除ランプ５６０、保温ランプ５７０、予約ランプ５８０、炊飯ランプ５８５、ディスプレイ５９０を備える。
【０１０４】
ＭＣＵ５４０は、一体型ＭＣＵであり、操作ボタン群５１０からのボタン信号および炊飯器制御装置５５０からの情報に基づいて、制限状態／解除状態を切り換えたり、炊飯器制御装置５５０及び解除ランプ５６０に操作信号を入力したりする。なお、制限状態においては、炊飯装置５６５の炊飯動作のオン／オフ以外の操作が制限される。
【０１０５】
炊飯器制御装置５５０は、炊飯装置５６５、保温ランプ５７０、予約ランプ５８０、炊飯ランプ５８５、ディスプレイ５９０を制御する。
図２２は、炊飯器操作パネル５９９の外観図である。図に示すように、炊飯器操作パネル５９９には、操作ボタン群５１０に属する「切」「保温」「お米選択」「メニュー」「予約」「設定」「炊飯」の各機能に対応した各機能ボタン、解除ボタン５１１、及びディスプレイ５９０がある。なお、先述した各ランプは、対応する機能ボタンのバックランプである。
【０１０６】
図２３は、炊飯器制御処理を示すフローチャートである。この処理は、ＭＣＵ５４０が主体となって繰り返し実行するものである。
まず、操作ボタン群５１０からのボタン信号を読み込む（Ｓ５２０５）。そして、解除ボタン５１１がオンかを判定する（Ｓ５２１５）。解除ボタン５１１がオンと判定すると（Ｓ５２１５ＹＥＳ）、ＭＣＵ５４０自身が内蔵したタイマをクリア／スタートする（Ｓ５２２０）。そして、操作ボタン群５１０からのボタン信号を読み込み（Ｓ５２２５）、機能ボタンがどれもオフと判定すると（Ｓ５２３０ＮＯ）、タイマが１秒以下かを判定する（Ｓ５２３５）。１秒以下と判定すると（Ｓ５２３５ＹＥＳ）、Ｓ５２２５に戻る。
【０１０７】
一方、機能ボタンのどれか一つがオンと判定すると（Ｓ５２３０ＹＥＳ）、オンの機能ボタンに対応する操作信号を炊飯器制御装置５５０に入力する（Ｓ５２４０）。そして、解除状態に移行する（Ｓ５２４５）。そして、解除ランプ５６０を点灯させる（Ｓ５２５０）。そして、解除状態にしてから一分後、制限状態に戻ると共に、解除ランプ５６０を消灯させる（Ｓ５２６０）。
【０１０８】
一方、タイマが１秒を越えたと判定すると（Ｓ５２３５ＮＯ）、図２４に移って、所定時間経過までに「切」ボタンがオンになったかを判定する（Ｓ５３０５）。「切」ボタンがオフと判定すると（Ｓ５３０５ＮＯ）、炊飯器の動作状態を調べる（Ｓ５３１０）。つまり、炊飯中なのか否かが分かる情報を炊飯器制御装置５５０から取得する。そして、炊飯中でないと判定すると（Ｓ５３２０ＮＯ）、炊飯が開始されるように炊飯器制御装置５５０に操作信号を入力して（Ｓ５３３０）、この処理を終える。
【０１０９】
一方、炊飯中であると判定すると（Ｓ５３２０ＹＥＳ）、炊飯が停止されるように炊飯器制御装置５５０に操作信号を入力して（Ｓ５３４０）、この処理を終える。一方、「切」ボタンがオンと判定すると（Ｓ５３０５）、Ｓ５３４０に進む。
【０１１０】
図２３に戻る。解除ボタン５１１がオフと判定すると（Ｓ５２１５ＮＯ）、機能ボタンのどれか一つがオンかを判定する（Ｓ５２６５）。どれもオフと判定すると（Ｓ５２６５ＮＯ）、この処理を終える。
【０１１１】
一方、どれか一つがオンと判定すると（Ｓ５２６５ＹＥＳ）、ＭＣＵ５４０自身が内蔵したタイマをクリア／スタートする（Ｓ５２７０）。そして、操作ボタン群５１０からのボタン信号を読み込み（Ｓ５２７５）、解除ボタン５１１がオフと判定すると（Ｓ５２８０ＮＯ）、タイマが０．８秒以下かを判定する（Ｓ５２８５）。タイマが０．８秒以下と判定すると（Ｓ５２８５ＹＥＳ）、Ｓ５２７５に戻る。
【０１１２】
一方、解除ボタン５１１がオンと判定すると（Ｓ５２８０ＹＥＳ）、Ｓ５２４０に進む。一方、タイマが０．８秒を越えたと判定すると（Ｓ５２８５ＮＯ）、図２４のＳ５３０５に進む。
【０１１３】
炊飯器５は、浴室制御装置１と同じように、対象者と非対象者との両者にとって使い易いものである。
【実施例６】
【０１１４】
実施例６は、本発明が適用された洗濯機６に関する。図２５は、洗濯機６のブロック構成図である。洗濯機６は、ＭＣＵ６４０、洗濯機制御装置６５０、洗濯機操作パネル６９９を備える。洗濯機操作パネル６９９は、操作ボタン群６１０、解除ボタン６１１、解除ランプ６６０、液晶パネル６９０を備える。
【０１１５】
ＭＣＵ６４０は、一体型ＭＣＵであり、操作ボタン群６１０からのボタン信号に基づいて、洗濯機制御装置６５０または解除ランプ６６０に操作信号を入力する。そして、洗濯機制御装置６５０は、駆動回路・モータ類（図示なし）と液晶パネル６９０とを制御する。
【０１１６】
図２６は、洗濯機操作パネル６９９の外観図である。図に示すように、洗濯機操作パネル６９９には「水量」「洗い」「すすぎ」「脱水」「お湯取り」「部屋干し」「洗濯」「スタート／一時停止」「電源」の各機能ボタン、解除ボタン６１１、液晶パネル６９０がある。なお、解除ランプ６６０は、解除ボタン６１１のバックランプである。
【０１１７】
図２７は、洗濯機電源制御処理を示すフローチャートである。この処理は、ＭＣＵ６４０が主体となって繰り返し実行する処理である。
まず、駆動回路・モータ類の動作状態を示す情報を洗濯機制御装置６５０から取得して（Ｓ６１１０）、駆動回路・モータ類の電源オンを維持すべきかを判定する（Ｓ６１２０）。具体的な判定方法は、取得した駆動回路・モータ類の動作状態を示す情報、電源ボタンがオンか否か、及び／又は洗濯機制御処理（図２８参照）における電源操作に関わるステップが実行されたかに基づいて判定する。
【０１１８】
維持すべきと判定すると（Ｓ６１２０ＹＥＳ）、駆動回路・モータ類の電源オンを維持するための制御（自己保持）をして（Ｓ６１３０）、この処理を終える。一方、維持すべきでないと判定すると（Ｓ６１２０ＮＯ）、駆動回路・モータ類の電源をオフにするための制御（自己保持解除）をして（Ｓ６１４０）、この処理を終える。
【０１１９】
なお、この処理は、制限状態／解除状態どちらであっても上記のステップを実行する。また、自己保持は、洗濯動作が終了後または無操作時３０秒後に解除する。
図２８は、洗濯機制御処理を示すフローチャートである。洗濯機制御処理は、ＭＣＵ６４０が主体となって繰り返し実行するものである。この処理では、制限状態において、駆動回路・モータ類の電源のオン／オフ及び洗濯動作の開始／停止以外の操作を制限する。駆動回路・モータ類の電源のオン／オフも制限状態において操作できるようになっているのは、電力節約のために、駆動回路・モータ類の電源が不使用時にはオフになるからである。
【０１２０】
そこで「図２７に示す洗濯機電源制御処理において電源オン→洗濯機処理において洗濯開始」という二つの操作を対象者に課さなくてもいいように、洗濯機処理における制限状態においても電源操作が可能になっている。例えば、駆動回路・モータ類の電源オフの状態からワンタッチで洗濯が始められるようになっている（詳細はフローチャートと共に説明）。
【０１２１】
まず、洗濯機制御装置６５０の電源がオンかを判定する（Ｓ６２０１）。オンと判定すると（Ｓ６２０１ＹＥＳ）、操作ボタン群６１０からのボタン信号を読み込む（Ｓ６２０５）。そして、解除ボタン６１１がオンかを判定する（Ｓ６２１５）。解除ボタン６１１がオンと判定すると（Ｓ６２１５ＹＥＳ）、ＭＣＵ６４０自身が内蔵したタイマをクリア／スタートする（Ｓ６２２０）。そして、操作ボタン群６１０からのボタン信号を読み込み（Ｓ６２２５）、どれもオフ（ただし電源ボタンによるものを除く。以下、オンの判定でもオフの判定でも同じ。電源ボタンは、洗濯機電源制御処理に関わるものである。）と判定すると（Ｓ６２３０ＮＯ）、タイマが１秒以下かを判定する（Ｓ６２３５）。１秒以下と判定すると（Ｓ６２３５ＹＥＳ）、Ｓ６２２５に戻る。
【０１２２】
一方、機能ボタンのどれか一つがオンと判定すると（Ｓ６２３０ＹＥＳ）、オンの機能ボタンに対応する操作信号を洗濯機制御装置６５０に入力する（Ｓ６２４０）。そして、解除状態に移行する（Ｓ６２４５）。
【０１２３】
そして、解除ランプ６６０を点灯させる（Ｓ６２５０）。そして、解除状態にしてから一分後、制限状態に戻ると共に、解除ランプ６６０を消灯させて（Ｓ６２６０）、この処理を終える。
【０１２４】
一方、タイマが１秒を越えたと判定すると（Ｓ６２３５ＮＯ）、図２９に移って、操作ボタン群６１０からのボタン信号を読み込み（Ｓ６３１０）、解除ボタン６１１のオンがＳ６２０５から継続している（押されっぱなし）かを判定する（Ｓ６３２０）。継続していると判定すると（Ｓ６３２０ＹＥＳ）、Ｓ６２２０でクリア／スタートしたタイマが２秒以下かを判定する（Ｓ６３７０）。２秒以下と判定すると（Ｓ６３７０ＹＥＳ）、Ｓ６３１０に戻る。
【０１２５】
一方、解除ボタン６１１のオンがＳ６２０５から継続していないと判定すると（Ｓ６３２０ＮＯ）、駆動回路・モータ類の動作状態を調べて（Ｓ６３３０）、洗濯中と判定すると（Ｓ６３４０ＹＥＳ）、洗濯を一時停止させて（Ｓ６３５０）、この処理を終える。一方、洗濯中でないと判定すると（Ｓ６３４０ＮＯ）、洗濯を実行させて（Ｓ６３６０）、この処理を終える。つまり、電源オン時に解除ボタン６１１を２秒以下押すと、洗濯の実行または一時停止をする。
【０１２６】
一方、タイマが２秒を越えたと判定すると（Ｓ６３７０ＮＯ）、駆動回路・モータ類の電源を洗濯機制御装置６５０にオフさせて（Ｓ６３８０）、この処理を終える。つまり、電源オン時に解除ボタン６１１を２秒を越えて押すと、電源がオフになる。
【０１２７】
図２８に戻って、解除ボタン６１１がオフと判定すると（Ｓ６２１５ＮＯ）、機能ボタンのどれか一つがオンかを判定する（Ｓ６２６５）。どれもオフと判定すると（Ｓ６２６５ＮＯ）、この処理を終える。一方、どれかがオンと判定すると（Ｓ６２６５ＹＥＳ）、タイマをクリア／スタートする（Ｓ６２７０）。
【０１２８】
そして、操作ボタン群６１０からのボタン信号を読み込み（Ｓ６２７５）、解除ボタン６１１がオフと判定すると（Ｓ６２８０ＮＯ）、タイマが０．８秒以下かを判定する（Ｓ６２８５）。０．８秒以下と判定すると（Ｓ６２８５ＹＥＳ）、Ｓ６２７５に戻る。一方、解除ボタン６１１がオンと判定すると（Ｓ６２８０ＹＥＳ）、Ｓ６２４０に進む。
【０１２９】
一方、タイマが０．８秒を越えたと判定すると（Ｓ６２８５ＮＯ）、図３０に移って、操作ボタン群６１０からのボタン信号を読み込み（Ｓ６４１０）、Ｓ６２６５でオンの機能ボタンがオン継続中と判定すると（Ｓ６４２０ＹＥＳ）、Ｓ６２７０でクリア／スタートされたタイマが２秒以下かを判定する（Ｓ６４７０）。２秒以下と判定すると（Ｓ６４７０ＹＥＳ）、Ｓ６４１０に戻る。
【０１３０】
一方、Ｓ６２６５でオンの機能ボタンがオン継続中でないと判定すると（Ｓ６４２０ＮＯ）、駆動回路・モータ類の動作状態を調べて（Ｓ６４３０）、洗濯中と判定すると（Ｓ６４４０ＹＥＳ）、洗濯を一時停止させて（Ｓ６４５０）、この処理を終える。一方、洗濯中でないと判定すると（Ｓ６４４０ＮＯ）、洗濯を実行させて（Ｓ６４６０）、この処理を終える。つまり、電源オン時に機能ボタンを２秒以下押すと、洗濯の実行または一時停止をする。
【０１３１】
一方、タイマが２秒を越えたと判定すると（Ｓ６４７０ＮＯ）、洗濯機制御装置６５０に駆動回路・モータ類の電源をオフさせて（Ｓ６４８０）、この処理を終える。つまり、電源オン時に機能ボタンを２秒を越えて押すと、電源がオフになる。
【０１３２】
図２８に戻って、洗濯機制御装置６５０の電源がオフと判定すると（Ｓ６２０１ＮＯ）、図３１に移って、操作ボタン群６１０からのボタン信号を読み込む（Ｓ６５０５）。そして、解除ボタン６１１がオンかを判定する（Ｓ６５１５）。解除ボタン６１１がオンと判定すると（Ｓ６５１５ＹＥＳ）、タイマをクリア／スタートする（Ｓ６５２０）。そして、操作ボタン群６１０からのボタン信号を読み込み（Ｓ６５２５）、解除ボタン６１１がオン継続中かを判定する（Ｓ６５３５）。オン継続中と判定すると（Ｓ６５３５ＹＥＳ）、タイマが２秒以下かを判定する（Ｓ６５４０）。タイマが２秒以下と判定すると（Ｓ６５４０ＹＥＳ）、Ｓ６５２５に戻る。オン継続中でないと判定すると（Ｓ６５３５ＮＯ）、この処理を終える。つまり、電源オフ時に解除ボタン６１１を２秒以下押しても、何も起こらない。
【０１３３】
一方、タイマが２秒を越えたと判定すると（Ｓ６５４０ＮＯ）、洗濯機制御装置６５０に駆動回路・モータ類の電源のオンさせる（Ｓ６５４５）。
図３２に移り、操作ボタン群６１０からのボタン信号を読み込み（Ｓ６６１０）、解除ボタン６１１がオン継続中かを判定する（Ｓ６６２０）。オン継続中でないと判定すると（Ｓ６６２０ＮＯ）、洗濯が実行されるように洗濯機制御装置６５０に操作信号を入力して（Ｓ６６３０）、この処理を終える。つまり、電源オフ時に解除ボタン６１１が２秒を越えて４秒以下押されると、電源がオンになると共に洗濯が開始される。
【０１３４】
一方、解除ボタン６１１がオン継続中と判定すると（Ｓ６６２０ＹＥＳ）、タイマが４秒以下かを判定する（Ｓ６６４０）。４秒以下と判定すると（Ｓ６６４０ＹＥＳ）、Ｓ６６１０に戻る。４秒を越えたと判定すると（Ｓ６６４０ＮＯ）、洗濯機制御装置６５０に駆動回路・モータ類の電源をオフさせて（Ｓ６６５０）、この処理を終える。つまり、電源オフ時に解除ボタン６１１が４秒を越えて押されると、電源オフを維持する。目的は誤操作防止である。
【０１３５】
図３１に戻って、解除ボタン６１１がオフと判定すると（Ｓ６５６５ＮＯ）、機能ボタンのどれか一つがオンかを判定する（Ｓ６５６５）。どれもオフと判定すると（Ｓ６５６５ＮＯ）、この処理を終える。一方、どれかがオンと判定すると（Ｓ６５６５ＹＥＳ）、タイマをクリア／スタートする（Ｓ６５７０）。
【０１３６】
そして、操作ボタン群６１０からのボタン信号を読み込み（Ｓ６５７５）、Ｓ６５６５でオンの機能ボタンがオン継続中かを判定する（Ｓ６５８０）。オン継続中と判定すると（Ｓ６５８０ＹＥＳ）。タイマが２秒以下かを判定する（Ｓ６５８５）。２秒以下と判定すると（Ｓ６５８５ＹＥＳ）、Ｓ６５７５に戻る。一方、Ｓ６５６５でオンの機能ボタンがオン継続中でないと判定すると（Ｓ６５８０）、この処理を終える。つまり、電源オフ時に機能ボタンを２秒以下押しても、何も起こらない。
【０１３７】
一方、タイマが２秒を越えたと判定すると（Ｓ６５８５ＮＯ）、洗濯機制御装置６５０に駆動回路・モータ類の電源をオンさせる（Ｓ６５９０）。そして図３３に移って、操作ボタン群６１０からのボタン信号を読み込み（Ｓ６７１０）、Ｓ６５０５でオンの機能ボタンがオン継続中かを判定する（Ｓ６７２０）。オン継続中と判定すると（Ｓ６７２０ＹＥＳ）、Ｓ６５７０でクリア／スタートしたタイマが４秒以下かを判定する（Ｓ６７４０ＹＥＳ）。４秒以下と判定すると（Ｓ６７４０ＹＥＳ）、Ｓ６７１０に戻る。
【０１３８】
一方、オン継続中でないと判定すると（Ｓ６７２０ＮＯ）、洗濯を実行させて（Ｓ６７３０）、この処理を終える。つまり、電源オフ時に機能ボタンを２秒を越えて４秒以下押すと、洗濯が実行される。
【０１３９】
一方、４秒を越えたと判定すると（Ｓ６７４０ＮＯ）、洗濯機制御装置６５０に駆動回路・モータ類の電源をオフにさせて（Ｓ６７５０）、この処理を終える。つまり、電源オフ時に機能ボタンを４秒を越えて押すと、電源オフが維持される。
【０１４０】
洗濯機６は、浴室制御装置１と同じように、対象者と非対象者との両者にとって使い易いものである。さらに、洗濯機は、駆動回路・モータ類の待機電力を節約できるようになっているにも関わらず、対象者にとって使い易いものである。なぜなら、原則、駆動回路・モータ類の電源をオフに保ちながら、対象者でも簡単に「電源オン→洗濯開始」を命令できるようになっているからである。
【０１４１】
変形例を述べる。情報の入力は、ボタンによらなくても何でも良い。例えば音声が考えられる。対象とする装置は何でも良く、例えば、自動車の操作パネルやコンピュータが考えられる。
【０１４２】
また、常時、解除状態にすることができるようになっていても良い。対象者が使用しないことが明らかな状況では、この方が便利だからである。この場合、解除ボタンは不要なので、蓋を被せて使われることがないようにできると良い。
【０１４３】
実施例と特許請求の範囲との対応関係を述べる。各実施例における操作ボタン群が第一入力手段、各実施例における（ユニット＋別体型ＭＣＵ）又は一体型ＭＣＵが第二入力手段のハードウェアに相当する。
【０１４４】
S1240／S2245／S3240／S4340／S5240／S6240が第一操作信号入力手段、S1150／S1160／S2130／S2320／S3330／S3340／S4337／S4480／S5340／S5330／S6350／S6360／S6450／S6460／S6630／S6730が第二操作信号入力手段、S6380／S6480／S6545／S6590／S6650／S6750が第三操作信号入力手段、S1240／S2245／S3240／S4340／S5240／S6240が第一切換手段、S1260／S2260／S3260／S4360／S5260／S6260が第二切換手段、のソフトウェアにそれぞれ相当する。また、解除ボタンのボタン信号が、申請情報に相当する。また、実施例１での浴室照明オン／オフボタン１２３のボタン信号等が、認可済み操作に相当する。
【０１４５】
なお、本発明は、先述した実施例の構成に限定されるものではなく、本発明の要旨を変更しない範囲で種々な態様の実施が可能である。
【符号の説明】
【０１４６】
１…浴室制御装置、２…リモコン、３…空調機、４…携帯電話、５…炊飯器、６…洗濯機、１１０…操作ボタン群、１１１…解除ボタン、１１２…表示ランプ、１１３…表示ランプ、１１８…操作ボタン群、１２０…照明操作パネル、１２２…浴室照明ランプ、１２３…浴室照明オン／オフボタン、１３０…ユニット、１５０…浴室コントローラ、１６０…解除ランプ、１７０…リレー、１８０…浴室照明機器、１９８…浴室機器操作パネル、１９９…浴室機器操作パネル、２１０…操作ボタン群、２１１…解除ボタン、２３０…ユニット、２５０…ＴＶリモコン・コントローラ、２６０…解除ランプ、２９０…発光素子、２９５…送信インジケータ、３１０…操作ボタン群、３１１…解除ボタン、３５０…空調機制御装置、３６０…解除ランプ、３８０…運転ランプ、３９０…ディスプレイ、３９９…空調機操作パネル、４１０…操作ボタン群、４１１…解除ボタン、４３０…ユニット、４５０…中央制御装置、４６０…解除ランプ、４９０…ディスプレイ、５１０…操作ボタン群、５１１…解除ボタン、５３０…炊飯器操作パネル、５５０…炊飯器制御装置、５６０…解除ランプ、５６５…炊飯装置、５７０…保温ランプ、５８０…予約ランプ、５８５…炊飯ランプ、５９０…ディスプレイ、５９９…炊飯器操作パネル、６１０…操作ボタン群、６１１…解除ボタン、６５０…洗濯機制御装置、６６０…解除ランプ、６９０…液晶パネル、６９９…洗濯機操作パネル
【図１】
2010204728.tif 000003
【図２】
2010204728.tif 000004
【図３】
2010204728.tif 000005
【図４】
2010204728.tif 000006
【図５】
2010204728.tif 000007
【図６】
2010204728.tif 000008
【図７】
2010204728.tif 000009
【図８】
2010204728.tif 000010
【図９】
2010204728.tif 000011
【図１０】
2010204728.tif 000012
【図１１】
2010204728.tif 000013
【図１２】
2010204728.tif 000014
【図１３】
2010204728.tif 000015
【図１４】
2010204728.tif 000016
【図１５】
2010204728.tif 000017
【図１６】
2010204728.tif 000018
【図１７】
2010204728.tif 000019
【図１８】
2010204728.tif 000020
【図１９】
2010204728.tif 000021
【図２０】
2010204728.tif 000022
【図２１】
2010204728.tif 000023
【図２２】
2010204728.tif 000024
【図２３】
2010204728.tif 000025
【図２４】
2010204728.tif 000026
【図２５】
2010204728.tif 000027
【図２６】
2010204728.tif 000028
【図２７】
2010204728.tif 000029
【図２８】
2010204728.tif 000030
【図２９】
2010204728.tif 000031
【図３０】
2010204728.tif 000032
【図３１】
2010204728.tif 000033
【図３２】
2010204728.tif 000034
【図３３】
2010204728.tif 000035